(57)【要約】【課題】  グループのメンバがそれぞれ携帯する無線端末を１つの無線端末グループとして識別することのできるグループ認証システムを提供する。【解決手段】  無線端末をグループごとに登録する無線端末登録部１と、グループ管理部２により生成された、グループ登録された無線端末の固有の識別符号にグループ符号が付されたグループ管理情報を記憶するグループ管理情報記憶部３と、特定のエリアを交信エリアとする無線通信部４と、進入検知部５により無線通信部４の交信エリア内に進入したことが検知された無線端末の識別符号を取得する無線端末識別部６と、取得された識別符号をグループ管理情報記憶部３に記憶されているグループ管理情報と照合し、グループの総ての無線端末が無線端末識別部６により同時に識別されたときに、そのグループを認証するグループ認証部７と、を備える。【選択図】  図１
2007286922.tif 000002
【特許請求の範囲】
【請求項１】
それぞれが固有の識別符号を有し移動可能な複数の無線端末をグループ符号で区分されるグループに登録する無線端末登録手段と、
前記グループに対して、前記グループ符号と前記識別符号をもとにしたグループ管理情報を生成するグループ管理手段と、
前記グループ管理情報を記憶するグループ管理情報記憶手段と、
前記無線端末の移動経路内の特定のエリアを交信範囲とする無線通信手段と、
前記無線通信手段と移動してきた前記無線端末との交信の開始を検出することにより前記無線端末が前記エリア内に進入したことを検知する進入検知手段と、
前記進入検知手段により検知された無線端末からその識別符号を前記無線通信手段を介して取得する無線端末識別手段と、
前記無線端末識別手段により取得された前記識別符号をグループ管理情報記憶手段に記憶されている前記グループ管理情報と照合し、あるグループに属する総ての無線端末が前記無線端末識別手段により同時に識別されたときに、そのグループが前記グループ管理情報に記載されたグループであることを認証するグループ認証手段と
を備えることを特徴とするグループ認証システム。
【請求項２】
前記無線端末登録手段により、前記グループに登録する前記無線端末の組み合わせを任意に変更することが可能であることを特徴とする請求項１に記載のグループ認証システム。
【請求項３】
前記グループ管理手段が、グループ認証が不要となったグループに対する前記グループ管理情報を抹消することを特徴とする請求項１または２に記載のグループ認証システム。
【請求項４】
さらに通過ゲートを備え、前記認証手段により認証されたグループに属する無線端末のみが前記通過ゲートの通過を許可されることを特徴とする請求項１乃至３のいずれか１項に記載のグループ認証システム。
【請求項５】
さらに輸送手段を備え、前記認証手段により認証されたグループに属する無線端末のみが前記輸送手段による輸送を許可されることを特徴とする請求項１乃至３のいずれか１項に記載のグループ認証システム。
【発明の詳細な説明】
【技術分野】
【０００１】
本発明は、グループ認証システムに関し、特に複数の無線端末をグループ単位で識別するグループ認証システムに関する。
【背景技術】
【０００２】
近年、無線通信端末の小型化、高機能化が進展し、携帯型の無線端末の普及が進んでいる。そこで、このような携帯型の無線端末を利用し、センター側との無線交信によりその無線端末の位置を認識し、その無線端末を携帯するユーザを認証するシステムの構築が検討されている。
【０００３】
そのようなシステムの例として、ユーザの携帯した無線タグとの交信によりユーザの識別データを受信し、ユーザ管理サーバが識別データの認証を行うユーザ認証システム（例えば、特許文献１参照。）や、無線通信を行なう親機と子機の距離が規定距離以上離れたときに親機側の警報を鳴らす迷子防止システム（例えば、特許文献２参照。）、などが提案されている。
【０００４】
このような従来の認証システムでは、認証対象の無線端末は個々に識別される。これに対して、無線端末をグループとして識別したい場合もある。例えば、遊園地内をグループで行動する予定のメンバが分散することを防止するために、遊園地内を移動するグループのメンバがそれぞれ携帯する無線端末を１つのグループとして識別し、そのグループの無線端末があるエリアに一緒に揃っているときにその無線端末をグループとして認証したいことがある。
【０００５】
同様に、荷物が集配される物流センターなどにおいて、１台の車両に積み込まれるべき荷物が総て揃っていることを確認するために、その車両に積み込まれる荷物に貼付されている無線タグを１つのグループとして識別し、そのグループの無線タグが、例えば、車両への搭載場に、一緒に揃ったときにその無線タグをグループとして認証したいことがある。
【０００６】
しかし、従来の無線端末を使用した認証システムでは、グループのメンバがそれぞれ携帯する無線端末をグループとして識別できないという問題があった。
【特許文献１】特開２００２−１５０７４０号公報  （第３ページ、図１）
【特許文献２】特開平１１−２４２７９０号公報  （第２−３ページ、図１）
【発明の開示】
【発明が解決しようとする課題】
【０００７】
そこで、本発明の目的は、１つのグループのメンバがそれぞれ携帯する無線端末を１つの無線端末グループとして識別することのできるグループ認証システムを提供することにある。
【課題を解決するための手段】
【０００８】
本発明の一態様によれば、それぞれが固有の識別符号を有し移動可能な複数の無線端末をグループ符号で区分されるグループに登録する無線端末登録手段と、前記グループに対して、前記グループ符号と前記識別符号をもとにしたグループ管理情報を生成するグループ管理手段と、前記グループ管理情報を記憶するグループ管理情報記憶手段と、前記無線端末の移動経路内の特定のエリアを交信範囲とする無線通信手段と、前記無線通信手段と移動してきた前記無線端末との交信の開始を検出することにより前記無線端末が前記エリア内に進入したことを検知する進入検知手段と、前記進入検知手段により検知された無線端末からその識別符号を前記無線通信手段を介して取得する無線端末識別手段と、前記無線端末識別手段により取得された前記識別符号をグループ管理情報記憶手段に記憶されている前記グループ管理情報と照合し、あるグループに属する総ての無線端末が前記無線端末識別手段により同時に識別されたときに、そのグループが前記グループ管理情報に記載されたグループであることを認証するグループ認証手段とを備えることを特徴とするグループ認証システムが提供される。
【発明の効果】
【０００９】
本発明によれば、１つのグループのメンバがそれぞれ携帯する無線端末を１つの無線端末グループとして管理し、その無線端末グループに属する総ての無線端末が所定のエリア内に同時に存在するときに、その無線端末を１つのグループとして識別するので、その無線端末グループの無線端末を携帯するメンバを１つのグループとして認証することができる。
【発明を実施するための最良の形態】
【００１０】
以下、本発明の実施例を図面を参照して説明する。
【実施例１】
【００１１】
図１は、本発明の実施例１に係るグループ認証システムの構成の例を示すブロック図である。本実施例は、遊園地をグループで遊興する観客が遊園地内のアトラクション施設の出口をばらばらに出てしまうことを防止するために、観客に無線端末を装着させ、アトラクション施設の出口において無線端末のグループ認証を行う例を示すものである。
【００１２】
本実施例のグループ認証システムは、観客のグループに対応して生成され、グループ符号で区分されるグループに、観客のメンバがそれぞれ装着する無線端末を登録する無線端末登録部１と、無線端末登録部１で生成されたグループに対して、グループ符号とそのグループに登録された無線端末の固有の識別符号を１組にしたグループ管理情報を生成するグループ管理部２と、グループ管理部２で生成されたグループ管理情報を記憶するグループ管理情報記憶部３と、アトラクション施設内の出口付近を交信エリアとする無線通信部４と、無線通信部４が観客に装着された無線端末との交信を開始したことを検出し、この無線端末が無線通信部４の交信エリア内に進入したことを検知する進入検知部５と、進入検知部５で検知された無線端末の識別符号を無線通信部４を介して取得する無線端末識別部６と、無線端末識別部６で取得された識別符号をグループ管理情報記憶部３に記憶されているグループ管理情報と照合し、あるグループに属する総ての無線端末が無線端末識別部６により同時に識別されたときに、そのグループがグループ管理情報に記載されたグループであることを認証するグループ認証部７と、を備える。
【００１３】
また本実施例では、アトラクション施設の出口にゲート１０が設けられ、グループ認証部７でグループとして認証された無線端末を装着したグループのみが、このゲート１０の通過を許可される。
【００１４】
本実施例の無線端末登録部１は、例えば、遊園地の入口付近に設けられ、入場してきた観客のうち、本システムによるグループ認証を希望するグループに無線端末を装着してもらい、その無線端末を、観客のグループごとに、識別符号で区分されるグループとして登録する。無線端末としては、携帯型の無線端末、あるいは無線タグなどを使用する。無線タグの場合、シール形状にして観客の衣服に貼り付けるようにしてもよい。
【００１５】
例えば、無線端末Ｔ１、Ｔ２、Ｔ３が１つのグループで使用される場合は、このグループを識別符号Ａのグループ（グループＡ）とし、無線端末Ｔ４、Ｔ５、Ｔ６が１つのグループで使用される場合は、このグループを識別符号Ｂのグループ（グループＢ）とする。
【００１６】
グループ管理部２は、この各グループに対して、そのグーループにどの無線端末が属しているかを管理するために、グループ符号とそのグループの無線端末の固有の識別符号を１組にしたグループ管理情報を生成する。
【００１７】
図２に、グループ管理部２で生成されるグループ管理情報の例を示す。
【００１８】
図２（ａ）は図１で示したグループＡ、グループＢに対する管理情報を示す。いま、無線端末Ｔ１、Ｔ２、Ｔ３、Ｔ４、Ｔ５、Ｔ６の固有の識別符号をそれぞれｔ１、ｔ２、ｔ３、ｔ４、ｔ５、ｔ６とする。
【００１９】
グループＡに対しては、グループ識別符号Ａと無線端末識別符号ｔ１、ｔ２、ｔ３を１組とするグループ管理情報が生成され、グループＢに対しては、グループ識別符号Ｂと無線端末識別符号ｔ４、ｔ５、ｔ６を１組とするグループ管理情報が生成される。
【００２０】
なお、無線端末登録部１による、各グループに対する無線端末の組み合わせは任意に変更することができる。それに応じて、グループ管理部２は、各グループに対するグループ管理情報を生成する。
【００２１】
図２（ｂ）は、グループＡに無線端末Ｔ１、Ｔ３、Ｔ５が属し、グループＢに無線端末Ｔ２、Ｔ４、Ｔ６が属すときのグループ管理情報の例である。また、図２（ｃ）は、グループＡに４台の無線端末Ｔ１、Ｔ２、Ｔ３、Ｔ４が属し、グループＢに２台の無線端末Ｔ５、Ｔ６が属すときのグループ管理情報の例である。
【００２２】
このようにグループ管理情報が生成された無線端末を装着した観客は、遊園地内を移動し、各種のアトラクション施設でアトラクションを楽しむ。アトラクションが終了すると、アトラクション施設の出口が混雑し、観客のグループのメンバがアトラクション施設の内と外に分断されることがある。そのため、例えば親子連れの場合、子供だけ先にアトラクション施設の外に出てしまい、子供が迷子になるおそれがある。
【００２３】
本実施例のグループ認証システムは、このようなことが起きないよう、アトラクション施設の出口付近で、観客が装着している無線端末のグループ認証を行う。
【００２４】
図３および図４を用いて、アトラクション施設の出口付近でのグループ認証動作について説明する。
【００２５】
図３は、無線通信部４の交信エリア内に無線端末Ｔ１が進入し、無線通信部４との交信を開始した様子を示す。
【００２６】
無線通信部４の交信エリア内に無線端末Ｔ１が進入すると、無線通信部４は無線端末Ｔ１との交信を開始する。この交信の開始を検出して、進入検知部５は、無線端末識別部６へ、無線通信部４の交信エリア内に進入した無線端末を検知したことを通知する。この通知を受けて、無線端末識別部６は、無線通信部４の交信エリア内に進入した無線端末の識別符号を無線通信部４を介して取得する。この場合、無線端末Ｔ１の識別符号ｔ１を取得する。無線端末識別部６は、この取得した識別符号ｔ１をグループ認証部７へ出力する。
【００２７】
グループ認証部７は、入力された識別符号ｔ１をグループ管理情報記憶部３に記憶されているグループ管理情報と照合する。その結果、この識別符号ｔ１がグループ識別符号Ａのグループに属しているとの情報を得る。また、このグループに識別符号ｔ２およびｔ３が登録されているとの情報を得る。
【００２８】
続いて、グループ認証部７は、この識別符号ｔ２およびｔ３を取得済みであるかどうかをチェックする。その結果、この時点では、まだ識別符号ｔ２およびｔ３を取得していないことが判明する。そこで、グループ認証部７は、無線通信部４の交信エリア内に進入した無線端末Ｔ１をグループとして認証しない。
【００２９】
そのため、仮に、無線端末Ｔ１がゲート１０を通過しようとした場合、グループ認証部７は、その通過を許可しない。具体的には、例えば、無線端末Ｔ１を装着した観客がゲートの通過を制止するよう、出口の係員に対して警報を発する。
【００３０】
その後、無線通信部４の交信エリア内に、無線端末Ｔ２、Ｔ３およびＴ４が移動して来ると、グループ認証部７は、次のように動作する。
【００３１】
図４は、無線通信部４の交信エリア内に無線端末Ｔ１、Ｔ２、Ｔ３、Ｔ４が存在し、無線通信部４と交信を行っている様子を示す。
【００３２】
無線端末Ｔ１に続いて無線端末Ｔ２、Ｔ３が無線通信部４の交信エリア内に進入し、進入検知部５によりその進入が検知され、無線端末識別部６によりその識別符号ｔ２、ｔ３が取得されると、グループ認証部７は、その識別符号ｔ２、ｔ３をグループ管理情報記憶部３に記憶されているグループ管理情報と照合する。
【００３３】
その結果、この識別符号ｔ２、ｔ３がグループ識別符号Ａのグループに属しているとの情報を得る。また、このグループ識別符号Ａのグループには、識別符号ｔ１、ｔ２、ｔ３が登録されているとの情報を得る。
【００３４】
これにより、グループ認証部７は、既に取得済みの識別符号ｔ１と合わせて、グループ識別符号Ａのグループに登録されている無線端末の識別符号が同時に総て識別された、と判定し、無線端末Ｔ１、Ｔ２、Ｔ３をグループとして認証する。
【００３５】
したがって、無線端末Ｔ１、Ｔ２、Ｔ３がゲート１０を通過する場合、グループ認証部７は、その通過を許可する。
【００３６】
一方、無線端末Ｔ４に対しては、その識別符号ｔ４をグループ管理情報と照合した結果、その属するグループ識別符号Ｂのグループの他の識別符号ｔ５、ｔ６がまだ識別されていないため、グループとして認証しない。その結果、グループ認証部７は、無線端末Ｔ４のゲート１０の通過を許可しない。
【００３７】
このような本実施例によれば、アトラクション施設の出口付近の交信エリア内に同時に存在している無線端末のグループのみがグループとして認証され、出口のゲートの通過を許可される。一方、グループとして認証されない無線端末は、出口のゲートの通過を許可されない。これにより、この無線端末を装着した観客グループのメンバが、アトラクション施設の内と外に分断されることを防止することができる。
【実施例２】
【００３８】
実施例１に示した遊園地のような場合、観客が遊園地の出口を出た時点で、無線端末のグループの認証の必要性はなくなる。そこで、本実施例では、実施例１に、さらに無線端末のグループ登録を抹消する登録抹消手段を設ける。
【００３９】
図５は、本実施例のグループ認証システムのうち、無線端末のグループ登録抹消に関わる要部のみを抽出したブロック図である。その他の構成は、図１に示した実施例１と同じであるので、ここではその説明を省略する。
【００４０】
登録抹消部８は、遊園地の出口に設けられ、グループ登録された無線端末が揃って遊園地の出口から退場したことを検知すると、その情報をグループ管理部２へ通知する。
【００４１】
この通知を受けると、グループ管理部２は、グループ管理情報記憶部３に記憶されているそのグループの管理情報を削除する。
【００４２】
例えば、グループ識別符号Ａのグループに登録されている無線端末Ｔ１、Ｔ２、Ｔ３が遊園地の出口を退場すると、このグループの管理情報は、図６に示すように削除される。
【００４３】
このような本実施例によれば、グループ認証の必要がなくなったグループの管理情報は、随時削除されるので、グループ管理情報記憶部の記憶容量に無駄が生じることを防止できる。また、グループ認証に必要な管理情報のみが管理情報記憶部に記憶されているので、グループ認証部７による管理情報照合動作に無用な時間が生じることを防止することができる。
【実施例３】
【００４４】
図７は、本発明の実施例３に係るグループ認証システムの構成の例を示すブロック図である。本実施例は、荷物が集配される物流センターで、１台の車両に積み込まれるべき荷物が総て揃っていることを確認するために、その車両に積み込まれる荷物に無線端末として無線タグを貼付し、車両の荷台において、無線タグのグループ認証を行う例を示すものである。
【００４５】
本実施例を構成する各ブロックは、図１に示した実施例１の各ブロックと同一の機能を有するので、図７の各ブロックに図１と同一の符号を付し、ここではその詳細な説明を省略する。
【００４６】
図７において、無線端末Ｔ１、Ｔ２、Ｔ３は、車両２０Ａに一緒に積み込まれるべき荷物に貼付されている無線タグとし、無線端末Ｔ４、Ｔ５、Ｔ６は、車両２０Ｂに一緒に積み込まれるべき荷物に貼付されている無線タグとし、無線端末Ｔ７は、また別の車両に積み込まれるべき荷物に貼付されている無線タグとする。
【００４７】
無線端末登録部１で、それぞれグループ登録された無線端末Ｔ１〜Ｔ７が貼付された荷物は、ベルトコンベアのような搬送装置により車両の荷台へ搬送される。
【００４８】
この車両の荷台に対して、それぞれの車両の荷台を別々の交信エリアとする無線通信部４が設けられている。
【００４９】
いま、車両２０Ａの荷台に無線端末Ｔ１、Ｔ２、Ｔ３が貼付された荷物が搭載され、無線通信部４が無線端末Ｔ１、Ｔ２、Ｔ３との交信を開始したことを進入検知部５が検知すると、無線端末識別部６は、無線通信部４を介して無線端末Ｔ１、Ｔ２、Ｔ３の識別符号を取得してグループ認証部７へ出力する。
【００５０】
グループ認証部７は、この識別符号をグループ管理情報記憶部３に記憶されているグループ管理情報と照合する。その結果、グループ認証部７は、無線端末Ｔ１、Ｔ２、Ｔ３の識別情報が登録されているグループの識別情報は総て識別されたと判定し、無線端末Ｔ１、Ｔ２、Ｔ３をグループとして認証する。
【００５１】
このようにして、無線端末Ｔ１、Ｔ２、Ｔ３をグループとして認証できたので、グループ認証部７は、無線端末Ｔ１、Ｔ２、Ｔ３が貼付された荷物を搭載した車両２０Ａに対して出発を許可する。すなわち、グループ認証部７により、無線端末Ｔ１、Ｔ２、Ｔ３が貼付された荷物の輸送が許可される。
【００５２】
一方、車両２０Ｂの荷台に搭載された荷物に貼付された無線端末Ｔ４に対しては、グループに属する他の無線端末の識別符号が識別されていないため、グループ認証部７は、この時点ではグループとして認証せず、この荷物を搭載する車両２０Ｂに対して出発を許可しない。
【００５３】
また、例えば、他の車両に搭載されるはずの荷物に貼付されている無線端末Ｔ７が、車両２０Ｂの交信エリア内で識別されたときは、グループ認証部７は、異なるグループの荷物が混載されていると判断する。これにより、車両２０Ｂに誤搭載された荷物があることを検出できる。
【００５４】
このような本実施例によれば、１台の車両に搭載すべき荷物が総て揃ったときに、初めてその荷物の輸送が許可される。これにより運搬車両への荷物の積み忘れを防止することができる。また、運搬車両への荷物の誤搭載を防止することも防止することができる。
【図面の簡単な説明】
【００５５】
【図１】本発明の実施例１に係るグループ認証システムの構成の例を示すブロック図。
【図２】本発明の実施例１におけるグループ管理情報の例を示す図。
【図３】本発明の実施例１のグループ認証部の動作を説明するための図。
【図４】本発明の実施例１のグループ認証部の動作を説明するための図。
【図５】本発明の実施例２に係るグループ認証システムの要部を抽出したブロック図。
【図６】本発明の実施例２におけるグループ管理情報の例を示す図。
【図７】本発明の実施例３に係るグループ認証システムの構成の例を示すブロック図。
【符号の説明】
【００５６】
１  無線端末登録部
２  グループ管理部
３  グループ管理情報記憶部
４  無線通信部
５  進入検知部
６  無線端末識別部
７  グループ認証部
８  登録抹消部
【図１】
2007286922.tif 000003
【図２】
2007286922.tif 000004
【図３】
2007286922.tif 000005
【図４】
2007286922.tif 000006
【図５】
2007286922.tif 000007
【図６】
2007286922.tif 000008
【図７】
2007286922.tif 000009